(57)【要約】【課題】既存のシステムを利用することによりコストの増大を抑えつつ、競馬における投票の対象を騎手としたレースの開催を可能とする的中投票券決定方法の提供を目的とする。【解決手段】コンピュータ１０を用いて競馬の的中投票券を決定する的中投票券決定方法であって、コンピュータ１０が、複数のレース結果情報から騎手毎の総合成績を計算する騎手総合成績計算段階と、計算された騎手毎の総合成績に基づいて的中投票券を決定する的中投票券決定段階とを有することにより上記課題を解決する。【選択図】　　　　図３
2004054796.tif 000002
【特許請求の範囲】
【請求項１】
コンピュータを用いて競馬の的中投票券を決定する的中投票券決定方法であって、
前記コンピュータが、複数のレースのレース結果情報から騎手毎の総合成績を計算する騎手総合成績計算段階と、
前記騎手総合成績計算段階において計算された騎手毎の総合成績に基づいて的中投票券を決定する的中投票券決定段階と
を有することを特徴とする的中投票券決定方法。
【請求項２】
前記レース結果情報は、少なくとも騎手の順位を含むことを特徴とする請求項１記載の的中投票券決定方法。
【請求項３】
前記総合成績は、順位毎に割り当てられた得点によって計算することを特徴とする請求項１又は２記載の的中投票券決定方法。
【請求項４】
前記的中投票券決定段階は、前記総合成績の順位に基づいて的中投票券を決定することを特徴とする請求項１乃至３いずれか一項記載の的中投票券決定方法。
【請求項５】
コンピュータに、
複数のレースのレース結果情報から騎手毎の総合成績を計算する騎手総合成績計算手順と、
前記騎手総合成績計算手順において計算された騎手毎の総合成績に基づいて的中投票券を決定する的中投票券決定手順と
を実行させるための的中投票券決定プログラム。
【発明の詳細な説明】
【０００１】
【発明の属する技術分野】
本発明は、的中投票券決定方法及び的中投票券決定プログラムに関し、特にコンピュータを用いた競馬の的中投票券決定方法及び的中投票券決定プログラムに関する。
【０００２】
【従来の技術】
従来から競馬においては、投票の対象は馬となっている。投票者は１レース毎に馬の競走結果を予想し、それに対して投票を行っていた。
【０００３】
【発明が解決しようとする課題】
しかしながら、近年において、競馬人気が下降傾向にあり、それに伴って競馬による収益も減少傾向にあるという問題がある。収益増加のためには新たなレースを開催するという対策が考えられるが、新たなレースの開催は、レース数の増加に伴うコストの増大によって、見合った利益を得られない。
【０００４】
一方、競馬人気の高揚のためには、新たな趣向によるレースの増設が待望されるが、そのレースの応じたシステム構築には多大なコストがかかるという問題があった。
【０００５】
本発明は、上記の点に鑑みてなされたものであって、既存のシステムを利用することによりコストの増大を抑えつつ、競馬における投票の対象を騎手としたレースの開催を可能とする的中投票券決定方法の提供を目的とする。
【０００６】
【課題を解決するための手段】
そこで上記課題を解決するため、本発明は、コンピュータを用いて競馬の的中投票券を決定する的中投票券決定方法であって、前記コンピュータが、複数のレース結果情報から騎手毎の総合成績を計算する騎手総合成績計算段階と、前記騎手総合成績計算段階において計算された騎手毎の総合成績に基づいて的中投票券を決定する的中投票券決定段階とを有することを特徴とする。
【０００７】
このような的中投票券決定方法では、複数のレースにおける騎手の総合成績により的中投票券が決定されるため、騎手を対象とした仮想的なレースの開催が可能となる。また、仮想的なレースは従来から行われている通常のレースに基づいているため、既存のシステムを流用することにより構築することができ、システム構築にかかるコストを低く抑えることができる。
【０００８】
【発明の実施の形態】
以下、図面に基づいて本発明の実施の形態を説明する。
【０００９】
図１は本発明による的中投票券決定システムの一例の構成図を示す。図１の的中投票券決定システム１では、競馬運営組織３０におけるレース情報管理システム３１と、競馬場４０における場内売場システム４１及び順位入力端末４２と、場外売場システム５０と、キャッシュレス投票システム６０と、総合センタ２０における的中投票券決定装置１０とがそれぞれネットワーク７０ａ、７０ｂ、７０ｃ、７０ｄによって接続されている。
【００１０】
競馬運営組織３０は、競馬の運営を行っている組織であり、例えばレースの企画、レースの出走馬及び騎手等を決定する。レース情報管理システム３１は、競馬運営組織３０における競走馬や出走場の管理を行うと共に、競馬運営組織により決定されたレース情報を管理する。
【００１１】
競馬場４０は、投票券の販売や払い戻しをする場所であると共に、実際にレースが開催される場所であり、場内売場システム４１と審判室４３に順位入力端末４２を有する。審判室４３は、レースの結果を決定する場所である。なお、レースの最終結果については、反則、違法行為の有無等を判断するため、審判室からの順位に基づいて検量室で確定される。
【００１２】
順位入力端末４２は審判室４３において入力されたレースの最終結果を的中投票券決定装置１０に送信する。場内売場システム４１は、競馬場４０における投票券の販売や払い戻しに係る処理を実行する。
【００１３】
場外売場システム５０は、競馬場４０以外で投票券の販売等を行う場外売場における処理を実行する。キャッシュレス投票システム６０は、インターネットや電話等からの投票に基づく処理を実行する。従って場外売場システム５０及びキャッシュレス投票システム６０は、的中投票券決定装置１０に対し投票情報を提供する。
【００１４】
総合センタ２０は、レース情報管理システム３１、場内売場システム４１、順位入力端末４２、場外売場システム５０及びキャッシュレス投票システム６０から通知された各種情報を管理する場所である。
【００１５】
的中投票券決定装置１０は、レース結果に基づいて的中投票券を決定する等、後述する処理を実行する。なお、投票券とは一般に馬券、的中投票券とは一般に当たり馬券といわれるものに相当する。
【００１６】
次に、的中投票券決定装置１０の詳細について説明する。図２は、本発明による的中投票券決定装置の一実施例のハードウェア構成図である。図２の的中投票券決定装置１０は、それぞれバスＢで相互に接続されているドライブ装置１００と、記憶媒体１０１と、補助記憶装置１０２と、メモリ装置１０３と、演算処理装置１０４と、インタフェース装置１０５とを有するように構成される。
【００１７】
インタフェース装置１０５は例えばモデム、ルータ等で構成され、ネットワークに接続するために用いられる。
【００１８】
的中投票券決定装置が利用する的中投票券決定プログラムは、ＣＤ―ＲＯＭ等の記憶媒体１０１によって提供される。的中投票券決定プログラムを記録した記憶媒体１０１は、ドライブ装置１００にセットされ、的中投票券決定プログラムが記憶媒体１０１からドライブ装置１００を介して補助記憶装置１０２にインストールされる。
【００１９】
補助記憶装置１０２は、インストールされた的中投票券決定プログラムを格納すると共に、必要なファイルやデータ等を格納する。例えば補助記憶装置１０２は、的中投票券決定プログラムの処理に必要な、後述する各種テーブルを格納している。
【００２０】
メモリ装置１０３は、的中投票券決定装置１０の起動時等、的中投票券決定プログラムの起動指示があった場合に、補助記憶装置１０２から的中投票券決定プログラムを読み出して格納する。演算処理装置１０４は、メモリ装置１０３に格納された的中投票券決定プログラムに従って的中投票券決定装置１０に係る機能を実行する。
【００２１】
次に的中投票券決定装置１０の機能構成例について説明する。図３は本発明による的中投票券決定装置の一実施例の機能構成図を示す。図３において、的中投票券決定装置１０は、的中投票券決定手段１１と、レース情報受信手段１２と、ポイントＤＢ１３と、出走情報ＤＢ１４と、騎手成績ＤＢ１５と、投票情報受付手段１６と、票数合算ＤＢ１７と、加入者情報ＤＢ１８とを有する。
【００２２】
レース情報受信手段１２は、レース情報管理システム３１から送信されるレースの情報、即ちレースの出走馬、騎手等の情報を受信し、受信したレース情報に基づいて出走情報ＤＢ１４の作成、騎手成績ＤＢ１５の初期化を行う。
【００２３】
ポイントＤＢ１３は、レースの順位とそれに対応する得点を管理するものである。出走情報ＤＢ１４は、レース毎の出走馬と騎手等の情報を管理する。的中投票券決定手段１１は、順位入力端末４２から受信したレースの順位情報とポイントＤＢ１３に基づいて、騎手に得点を割り当て、それを騎手成績ＤＢ１５に格納すると共に、的中投票券を決定し、その結果を場内売場システム４１、場外売場システム５０及びキャッシュレス投票システム６０に通知する。
【００２４】
投票情報受付手段１６は、場内売場システム４１、場外売場システム５０及びキャッシュレス投票システム６０から受信した投票情報を票数合算ＤＢ１７と加入者情報ＤＢ１８に登録する。票数合算ＤＢ１７は、場内売場システム４１、場外売場システム５０及びキャッシュレス投票システム６０から送信される投票情報を管理するものであり、加入者情報ＤＢ１８は、キャッシュレス投票システム６０を利用可能な投票者の個人情報等が予め登録されているものである。
【００２５】
次に本実施例におけるレースについて説明する。本実施例のレースにおいては、投票の対象は馬ではなく、特定の複数のレースにおける騎手の順位を総合した総合成績を対象とする。但し、改めて新たなレースを開催する訳ではなく、現在既に行われている、複数のレースに跨って同じ騎手が参加するイベントを対象とする。即ち、既存のレースを利用して新たなレースを設けるという点で仮想的なレースといえ、以下の説明においては上記のルールに基づく複数のレースから構成されるイベントを仮想シリーズレースと呼び、そのうちの一つのレースを仮想単位レースと呼ぶ。
【００２６】
以下、図３の的中投票券決定装置の処理手順について説明していく。
【００２７】
図４は、レース情報受信処理の一実施例のフローチャートを示す図である。図４のステップＳ１０において、的中投票券決定装置１０のレース情報受信手段１２は、レース情報管理システム３１から通常のレースのレース情報を受信する。このレース情報には、レースに参加する馬、騎手、開催日、開催場、レース番号等のレースに関する情報が含まれる。
【００２８】
ステップＳ１０からステップＳ２０に進み、レース情報受信手段１２は、ステップＳ１０で受信したレース情報に基づいて出走情報ＤＢ１４に出走情報を登録する。
【００２９】
図５は、出走情報ＤＢを構成する出走情報テーブルの一例の構成図を示す。図５の出走情報テーブル１４０は、馬の枠番、馬番、馬の名前である馬名及びその馬に乗る騎手の名前である騎手名等の項目を有し、任意の一レースの情報を管理するものである。また、出走情報テーブル１４０は、レースを一意に特定する情報として、図中においては「第２回阪神１日目１０Ｒ（レース）」で示されるレースの識別情報と関連付けられて保存される。出走情報テーブル１４０においては、馬番１の馬名は「ＡＡ」であり、その騎手名は「騎手Ａ」、馬番２の馬名は「ＢＢ」であり、その騎手名は「騎手Ｂ」であることが分かる。また、枠番１には、馬番１と２の馬、即ち「ＡＡ」と「ＢＢ」が属し、枠番２には馬番３及び４、枠番３には馬番５及び６、枠番４には馬番７及び８の馬がそれぞれ属している。なお、出走情報テーブル１４０は、通常の馬を投票の対象とするレースに対するシステムが利用しているものをそのまま利用すれば良い。
【００３０】
ステップＳ２０に続いてステップＳ３０に進み、レース情報受信手段１２は、受信したレース情報が仮想シリーズレースにおける初戦（最初のレース）であるか否かを判断する。レース情報が仮想シリーズレースにおける２回目以降のレースのものである場合、又はそもそも仮想シリーズレースの対象レースのものではない場合は、レース情報受信手段１２は処理を終了する。
【００３１】
受信したレース情報が、仮想シリーズレースにおいて初戦のものである場合は、ステップＳ３０に続いてステップＳ４０に進む。ステップＳ４０において、レース情報受信手段１２は騎手成績ＤＢ１５を初期化し、処理を終了する。
【００３２】
図６は、騎手成績情報ＤＢを構成する騎手成績テーブルの一例の構成図を示す図である。図６の騎手成績テーブル１５０は、騎手の枠番、馬における馬番に相当する騎手の騎手番、騎手の名前である騎手名、その騎手がこれまでのレースで獲得したポイント（得点）の総和である合計ポイントをデータ項目として有しており、騎手を対象とした出走表としての機能と、騎手の成績を管理する成績表としての機能を担う。即ち、ステップＳ４０において騎手を対象とした出走表が生成されることになる。
【００３３】
騎手成績テーブル１５０においては、騎手番１の騎手名は「騎手Ｃ」であり、以下騎手番順に「騎手Ｂ」、「騎手Ａ」、「騎手Ｆ」、「騎手Ｈ」、「騎手Ｄ」、「騎手Ｅ」、「騎手Ｇ」であることが分かる。また、枠番１には騎手番１と２の騎手、即ち「騎手Ｃ」と「騎手Ｂ」が属し、騎手番２には「騎手Ａ」と「騎手Ｆ」が、騎手番３には「騎手Ｈ」と「騎手Ｄ」が、騎手番４には「騎手Ｅ」と「騎手Ｇ」がそれぞれ属している。なお、各騎手の合計ポイントについては、まだレースが開始されていないため、この段階では全て０ポイントとなっている。
【００３４】
上述したように、騎手の出走表が確定すると、この仮想シリーズレースの開催が出走表と共にインターネットや競馬新聞等のメディアを通じて公表され、投票の受付が場内売場システム４１や場外売場システム５０及びキャッシュレス投票システム６０において開始される。
【００３５】
次に、的中投票券決定装置１０における投票受付処理について説明する。図７は、投票受付処理の一実施例のフローチャートを示す。
【００３６】
図７のステップＳ１００において、的中投票券決定装置１０の投票情報受付手段１６は、場外売場システム５０又はキャッシュレス投票システム６０により投票された投票情報を受信する。この投票とは、いわゆる馬券を買うという行為である。仮想シリーズレースにおいては投票者は騎手の総合成績に対する投票を行うことになる。但し、投票情報は、単にレースを特定するための識別情報と、枠番や騎手番等、投票する対象を特定するための情報のみから構成されるため、通常のレースの場合と変わりはない。なお、キャッシュレス投票システム６０は、後述する加入者情報ＤＢ１８に加入者として予め登録されている投票者が、電話やインターネット等の通信手段により投票を行うための手段である。
【００３７】
ステップＳ１００に続いてステップＳ１１０に進み、投票情報受付手段１６は、投票の受付が締め切りがどうかを判断する。投票の受付の締め切りは、例えば初戦のレースにおける各騎手の騎乗馬が決定されるまでとすれば良い。受付が締め切られている場合には投票情報受付手段１６は処理を終了し、締め切られていない場合はステップＳ１２０に進む。
【００３８】
ステップＳ１２０おいて投票情報受付手段１６は、投票がキャッシュレス投票システム６０から送信されたものか否かを判断する。投票がキャッシュレス投票システム６０から送信されたものでない場合は、ステップＳ１４０に進む。投票がキャッシュレス投票システムから送信されたものである場合は、ステップＳ１３０に進む。
【００３９】
ステップＳ１３０において、投票情報受付手段１６は受信した投票情報を加入者情報ＤＢ１８に登録し、ステップＳ１４０に進む。加入者情報ＤＢ１８は、キャッシュレス投票システム６０により投票可能な投票者の個人情報等が予め登録されているものでる。従って本ステップにおいては、加入者における投票情報、即ち馬券の購入情報が更新されることになる。
【００４０】
ステップＳ１４０において、投票情報受付手段１６は受信した投票情報を票数合算ＤＢ１７に登録する。票数合算ＤＢ１７は、票数等の投票状況を管理するものである。
【００４１】
仮想シリーズレースにおいては投票の対象が騎手となっているが、上述したように投票情報は、騎手や馬の区別が無い情報となっているため加入者情報ＤＢ１８に登録する情報や、票数合算ＤＢ１７に登録する情報についても通常のレースで利用されているものと何ら変わりは無い。従って、加入者情報ＤＢ１８及び票数合算ＤＢ１７については通常のレース用のものをそのまま利用すれば良い。なお、票数合算ＤＢ１７及び加入者情報ＤＢ１８については一般に通常のレースにおいて利用されているものであるため詳述はしない
ステップＳ１４０に続いてステップＳ１５０に進み、投票情報受付手段１６は、レースが開催される競馬場４０の場内売場システム４１に票数合算ＤＢ１７に蓄積されている投票情報を送信する。場内売場システム４１は、受信した投票情報と場内売場システム４１において投票された投票情報とを合算し、更にオッズを計算して的中投票券決定装置１０に送信する。
【００４２】
ステップＳ１５０に続いてステップＳ１６０に進み、投票情報受付手段１６は場内売場システム４１において合算された投票情報及びオッズを受信する。
【００４３】
ステップＳ１６０に続いてステップＳ１７０に進み、投票情報受付手段１６は受信した投票情報及びオッズを票数合算ＤＢ１７に登録する。
【００４４】
上記の処理によって、投票者からの投票情報が票数合算ＤＢ１７に登録されたことになり、的中投票券決定装置１０としてのレース開催前の処理は完了したことになる。
【００４５】
次に、実際にレースが開催され、そのレース結果を受信した際と仮想シリーズレースの的中投票券を決定する際の的中投票券決定装置１０の処理について説明する。
【００４６】
図８は、レース結果受信処理及び的中投票券決定処理の一実施例のフローチャートを示す。図８のステップＳ２００において、的中投票券決定装置１０の的中投票券決定手段１１は、競馬場４０の審判室４３において入力されたレース結果としての順位電文を順位入力端末４２から受信する。
【００４７】
図９は、順位電文の一例の構成図を示す。図９の順位電文４００は、レース終了後に順位入力端末４２から的中投票券決定装置１０に送信されるものであり、その形式は、「開催日／場」を先頭に、図中は「Ｒ」で記述されるレース番号、後述するイベントフラグ、及び着順に馬番が続く。なお、図９の順位電文４００は通常のレースの順位電文にイベントフラグを追加すれば良い。
【００４８】
イベントフラグは、レースが仮想シリーズレースの対象、即ち仮想単位レースであるか否かを示すフラグであり、この項目が空の場合は、仮想単位レースではないことを示す。「Ｓ」の場合は仮想単位レースであることを示し、「Ｅ」の場合は仮想シリーズレースの最終戦であることを示す。
【００４９】
なお、イベントフラグの追加が出来ない場合は、仮想シリーズレースの対象となるレースを順位電文４００と同様に「開催日／場」及び「Ｒ（レース番号）」により特定するリストを、的中投票券決定手段１０において予め管理しておけば良い。この場合、以降に続くイベントフラグにより判断する処理を、そのリストとの対比により代替することができ、順位電文４００のイベントフラグの追加は不要となる。
【００５０】
ステップＳ２００に続いてステップＳ２１０に進み、的中投票券決定手段１１は、通常のレースの確定後処理、即ち配当や払い戻しの処理を実行する。図８においては、ここまでの処理は通常のレースで行われている処理であり、以降のステップが仮想シリーズレース用の新たな処理となる。
【００５１】
ステップＳ２１０に続いてステップＳ２２０に進み、的中投票券決定手段１１は、順位電文４００のイベントフラグを確認して仮想シリーズレースの対象レースかどうかを判断する。対象レースでない場合、即ちイベントフラグが空の場合はステップＳ２００に進み、レース結果の受信待ちとなる。対象レースの場合、即ちイベントフラグが「Ｓ」又は「Ｅ」の場合はステップＳ２３０に進む。
【００５２】
ステップＳ２３０において的中投票券決定手段１１は、順位電文４００より取り出した「開催日／場」及び「Ｒ（レース番号）」をキーとして図５の出走表情報テーブル１４０を呼び出す。
【００５３】
ステップＳ２３０に続いてステップＳ２４０に進み、的中投票券決定手段１１は、騎手の順位に応じて騎手に得点を加算する。騎手の順位は、出走情報テーブル１４０と、順位電文４００とを参照することにより求めることができる。即ち、順位電文４００より１着である馬番４の馬に騎乗していたのは出走情報テーブル１４０より「騎手Ｄ」であり、２着である馬番２の馬に騎乗していたのは、騎手Ｂであることが分かる。同様にして求めた騎手の順位を示したのが図１０である。図１０は、騎手の順位を示す図であり、３位以降は、騎手Ｅ、騎手Ａ，騎手Ｇ、騎手Ｈ、騎手Ｃ、騎手Ｆと続いている。
【００５４】
また、各騎手のポイントはポイントＤＢ１３で管理されているポイントテーブルによって求めることができる。図１１は、ポイントＤＢを構成するポイントテーブルの一例の構成図を示す図である。図１１のポイントテーブル１３０より、着順に２０、１５、１０、９、８、７、６、５のポイントが与えられることになる。
【００５５】
上述した騎手の順位とポイントテーブル１３０より、各騎手のポイントが確定する。図１２は、騎手にポイントを追加した騎手成績テーブルの一例の構成図を示す。騎手成績テーブル１５１より、７着である騎手Ｃには６ポイント、２着である騎手Ｂには１５ポイント、４着である騎手Ａには９ポイントが新たに加算されており、その他の騎手についても順位に応じたポイントが加算されている。２回目以降の仮想単位レースについても、現在のポイントに新たなポイントが加算されていく。
【００５６】
図８のステップＳ２４０からステップＳ２５０に進み、的中投票券決定手段１１は、現在処理対象としているレースが仮想シリーズレースの最終レースかどうかを、順位電文４００のイベントフラグが「Ｅ」か否かを確認することで行う。最終レースでない場合、即ちイベントフラグが「Ｅ」でない場合は、ステップＳ２００に進み、新たなレースの結果待ちとなる。最終レースである場合、即ちイベントフラグが「Ｅ」である場合はステップＳ２６０に進む。
【００５７】
ステップＳ２６０において的中投票券決定手段１１は、図１２の騎手成績テーブル１５１を参照し、合計ポイントの多い順に騎手の最終成績を確定すると共に、的中投票券を確定し、処理を終了する。騎手成績テーブル１５１に基づく的中投票券を示したのが図１３である。図１３は、的中投票券を示す図であり、騎手番により表示されている。図１３より例えば単勝については「６」、枠連については「２−６」、馬連については「２−６」が的中投票券となっている。以降は通常のレースと同様に的中投票券に対しオッズに従って払い戻しを行えばよい。
【００５８】
上述したように、本実施例においては、通常のレースにおけるシステムに対する簡単な変更により、騎手を投票の対象とした新たなレースを開催することができる。また、現実のレースを利用して新たなレースを開催しているため、レースの増設に伴うコストが発生することも無い。更に、従来のシステムに対しる小規模な修正で実現することが可能なため、システム構築のための費用を安く抑えることができる。
【００５９】
以上本発明の好ましい実施例について詳述したが、本発明は係る特定の実施形態に限定されるものではなく、特許請求の範囲に記載された本発明の要旨の範囲内において、種々の変形・変更が可能である。
【００６０】
なお、以上の説明に関して更に以下のを開示する。
（付記１）　コンピュータを用いて、競馬の的中投票券を決定する的中投票券決定方法であって、
前記コンピュータが、複数のレースのレース結果情報から騎手毎の総合成績を計算する騎手総合成績計算段階と、
前記騎手総合成績計算段階において計算された騎手毎の総合成績に基づいて的中投票券を決定する的中投票券決定段階と
を有することを特徴とする的中投票券決定方法。
（付記２）　前記レース結果情報は、少なくとも騎手の順位を含むことを特徴とする付記１記載の的中投票券決定方法。
（付記３）　前記総合成績は、順位毎に割り当てられた得点によって計算することを特徴とする付記１又は２記載の的中投票券決定方法。
（付記４）　前記的中投票券決定段階は、前記総合成績の順位に基づいて的中投票券を決定することを特徴とする付記１乃至３いずれか一項記載の的中投票券決定方法。
（付記５）　コンピュータに、
複数のレースのレース結果情報から騎手毎の総合成績を計算する騎手総合成績計算手順と、
前記騎手総合成績計算手順において計算された騎手毎の総合成績に基づいて的中投票券を決定する的中投票券決定手順と
を実行させるための的中投票券決定プログラム。
（付記６）　コンピュータに、
複数のレースのレース結果情報から騎手毎の総合成績を計算する騎手総合成績計算手順と、
前記騎手総合成績計算手順において計算された騎手毎の総合成績に基づいて的中投票券を決定する的中投票券決定手順と
を実行させるための的中投票券決定プログラムを記録したコンピュータ読み取り可能な記録媒体。
（付記７）　競馬の的中投票券を決定する的中投票券決定装置であって、
複数のレースのレース結果情報から騎手毎の総合成績を計算する騎手総合成績計算手段と、
前記騎手総合成績計算手段において計算された騎手毎の総合成績に基づいて的中投票券を決定する的中投票券決定手段と
を有することを特徴とする的中投票券決定装置。
【００６１】
【発明の効果】
上述の如く、本発明によれば、複数のレースにおける騎手の総合成績により的中投票券が決定されるため、騎手を対象とした仮想的なレースの開催が可能となる。また、仮想的なレースは従来から行われている通常のレースに基づいているため、既存のシステムを流用することにより構築することができ、システム構築にかかるコストを低く抑えることができる。
【図面の簡単な説明】
【図１】本発明による的中投票券決定システムの一例の構成図である。
【図２】本発明による的中投票券決定装置の一実施例のハードウェア構成図である。
【図３】本発明による的中投票券決定装置の一実施例の機能構成図である。
【図４】レース情報受信処理の一実施例のフローチャートである。
【図５】出走情報ＤＢを構成する出走情報テーブルの一例の構成図である。
【図６】騎手成績ＤＢを構成する騎手成績テーブルの一例の構成図である。
【図７】投票受付処理の一実施例のフローチャートである。
【図８】レース結果受信処理及び的中投票券決定処理の一実施例のフローチャートである。
【図９】順位電文の一例の構成図である。
【図１０】騎手の順位を示す図である。
【図１１】ポイントＤＢを構成するポイントテーブルの一例の構成図である。
【図１２】騎手にポイントを追加した騎手成績テーブルの一例の構成図である。
【図１３】的中投票券を示す図である。
【符号の説明】
１　　的中投票券決定システム
１０　　的中投票券決定装置
１１　　的中投票券決定手段
１２　　レース情報受信手段
１３　　ポイントＤＢ
１４　　出走情報ＤＢ
１５　　騎手成績ＤＢ
１６　　投票情報受付手段
１７　　票数合算ＤＢ
１８　　加入者情報ＤＢ
２０　　総合センタ
３０　　競馬運営組織
３１　　レース情報管理システム
４０　　競馬場
４１　　場内売場システム
４２　　順位入力端末
４３　　審判室
５０　　場外売場システム
６０　　キャッシュレス投票システム
７０ａ、７０ｂ、７０ｃ　　ネットワーク
１００　　ドライブ装置
１０１　　記憶媒体
１０２　　補助記憶装置
１０３　　メモリ装置
１０４　　演算処理装置
１０５　　インタフェース装置
Ｂ　　バス
【図１】
2004054796.tif 000003
【図２】
2004054796.tif 000004
【図３】
2004054796.tif 000005
【図４】
2004054796.tif 000006
【図５】
2004054796.tif 000007
【図６】
2004054796.tif 000008
【図７】
2004054796.tif 000009
【図８】
2004054796.tif 000010
【図９】
2004054796.tif 000011
【図１０】
2004054796.tif 000012
【図１１】
2004054796.tif 000013
【図１２】
2004054796.tif 000014
【図１３】
2004054796.tif 000015